(57)【要約】本発明は、少なくとも１つのスクラップ部をブランクから分離可能にする少なくとも１つの切断線輪郭（２８）を備える第１ツール部（１０）を有すると共に、ブランクを少なくとも１つのスクラップ部から分離するために第１ツール部（１０）と共働する第２ツール部（１２）を有する、ブランクを厚紙シートから製造するためのツールに関する。打抜き工程からの比較的小さなスクラップ部を特に迅速かつ簡単な方法で除去可能にするために、吸引装置の少なくとも１つの吸引ダクト（４４）が第１ツール部（１０）内に備えられ、吸引ダクト（４４）を介しての吸引によって、少なくとも１つのスクラップ部を抽出することができる。本発明は、さらに、厚紙シートからブランクを製造するための方法に関する。【選択図】  図１
2020519455.tif 000002
【特許請求の範囲】
【請求項１】
少なくとも１つのスクラップ部をブランクから分離可能にする少なくとも１つの切断線輪郭（２８）を有する第１ツール部（１０）を含むと共に、ブランクを少なくとも１つのスクラップ部から分離するために第１ツール部（１０）と共働する第２ツール部（１２）を含む、ブランクを厚紙シートから製造するためのツールであって、
吸引装置の少なくとも１つの吸引ダクト（４４）が、少なくとも１つのスクラップ部を吸い出すことができる第１ツール部（１０）中に設けられる、
ことを特徴とするツール。
【請求項２】
吸引ダクト（４４）は、少なくともその全長エリアが切断線輪郭（２８）によって形成される、
ことを特徴とする請求項１に記載のツール。
【請求項３】
第１ツール部（１０）は、吸引ダクト（４４）が少なくともその全長エリアに形成された少なくとも１つの支持プレート（１６）を含んでいる、
ことを特徴とする請求項１又は２に記載のツール。
【請求項４】
第１ツール部（１０）は、切断線輪郭（２８）を内部に収容する少なくとも１つの支持プレート（１４）を含んでいる、
ことを特徴とする請求項１〜３のいずれか一項に記載のツール。
【請求項５】
第１ツール部（１０）は、切断線輪郭（２８）を内部に収容する支持プレート（１４）と、吸引ダクト（４４）の少なくともその全長エリアが内部に形成された支持プレート（１６）との間に、吸引ダクト（４４）の少なくともその全長エリアが内部に形成された中間プレート（１８）を含んでいる、
ことを特徴とする請求項３又は４に記載のツール。
【請求項６】
吸引ダクト（４４）は、その全長エリアがそれぞれ一部吸引ダクト（４２）によって形成される、
ことを特徴とする請求項１〜５のいずれか一項に記載のツール。
【請求項７】
切断線輪郭（２８）は、各スクラップ部を分離するための少なくとも１つの周方向に閉じた輪郭エリア（３０）を含み、吸引ダクト（４４）又はそれに各々隣接する一部吸引ダクト（４２）は、断面が関連の輪郭エリア（３０）の断面よりも大きく形成される、
ことを特徴とする請求項１〜６のいずれか一項に記載のツール。
【請求項８】
吸引ダクト（４４）は、対応支持プレート（１６）から両側（４８、５０）に向かって出てくる最終ダクト（４６）を含み、しかも、吸引装置の吸引エレメントが最終ダクト（４６）の片側（４８、５０）に、自由流入開口部（５２）が最終ダクトの反対側に備えられる、
ことを特徴とする請求項１〜７のいずれか一項に記載のツール。
【請求項９】
最終ダクト（４６）は、フレームシート（２０）が配置された対応支持プレート（１６）の外側（５６）に配置される、
ことを特徴とする請求項１〜８のいずれか一項に記載のツール。
【請求項１０】
第２ツール部（１２）との共働において、第１ツール部（１０）の切断線輪郭（２８）でブランクから少なくとも１つのスクラップ部を分離するツールによって、厚紙シートからブランクを製造するための方法であって、
少なくとも１つのスクラップ部は、第１ツール部（１０）内に備えられた吸引装置の少なくとも1つの吸引ダクト（４４）を介して吸い出される、
ことを特徴とする方法。
【請求項１１】
吸引ダクト（４４）は、その全長エリアを介して各々の一部吸引ダクト（４２）が形成され、少なくとも１つのスクラップ部は少なくとも１つの一部吸引ダクト（４２）を介して吸い出される、
ことを特徴とする請求項１０に記載の方法。
【発明の詳細な説明】
【技術分野】
【０００１】
本発明は、クレーム１及び１０各々のプリアンブルに係る厚紙シートからブランクを製造するためのツール及び方法に関する。
【背景技術】
【０００２】
通常は切断、打抜き及び／又は溝切具として形成される対応ツールによって厚紙シートからブランクを製造する際には、第１ツール部に配置された対応する切断線輪郭によって、より小さなスクラップ部がブランクから分離されることが多い。そこでは、雌型としての第１ツール部は雄型としての第２ツール部と共働し、この２つの型の間に各々の厚紙シートは配置され、ブランクは少なくとも１つのスクラップ部を分離することによって作られる。
【０００３】
大きなスクラップは切断又は打抜き厚紙シートのブランクから比較的簡単に除去及び搬出することができるが、従来は、特に小さな打抜きスクラップが厚紙シートの以降の搬送中に無くなることがあり、その結果、製造工程において汚染及びさらなる欠陥が生じることがある。
【０００４】
ＤＥ１００６５４５７Ａ１
【特許文献１】から、打抜き又は切断材料シートのブランク及びスクラップを分離するための方法及び装置が周知であり、ブランク及びスクラップの分離は、厚紙シートの切断を行う処理装置からブランク及びスクラップを除去する装置内において行われる。ブランク及びスクラップを分離するために、搬送装置は、各厚紙部を分離すると共に、スクラップを工程から除去するために、引力又は吸引力の異なる多数の吸引面を含む。
【発明の概要】
【発明が解決しようとする課題】
【０００５】
本発明の目的は、特に簡単かつ迅速な方式でより小さいスクラップ部を工程から除去することができ、厚紙シートからブランクを製造するためのツール及び方法を提供することにある。
【課題を解決するための手段】
【０００６】
本発明によれば、この目的は、クレーム１及び１０の特徴をそれぞれが有する厚紙シートからブランクを製造するためのツール及び方法によって解決される。本発明の有利な形態及び有益な展開が従属クレームの内容である。
【０００７】
特に簡単かつ迅速な方法でより小さなスクラップ部を工程から除去できるツールを提供するために、本発明によれば、切断線輪郭が配置される第１ツール部には、吸引装置の少なくとも１つの吸引ダクトが追加的に備えられ、その吸引ダクトを介して、切断線輪郭により分離された少なくとも１つのスクラップ部を吸い出すことができる。従って、本発明によれば、第１ツール部の内部で直ちに、さらには、ブランクからのスクラップ部の打抜きの工程段階中にも直ちに、各小さなスクラップ部の吸い出しが提供される。この結果、シートの以降の搬送時及び以降の工程においてスクラップ部を無くせなることが、特に簡単かつ信頼性のある方法によって確保されることになり、他の方法でこれができなければ、プラントの汚染又は工程の故障につながる可能性がある。
【０００８】
そこでは、特に、もし対応するツール部が多数の支持プレートから構成される場合は、吸引ダクトを比較的簡単に対応するツール部内に導入することができる。そこでは、吸引ダクトはそのほんの一部だけが対応するツール部の内部に備えるべきである。例えば、対応管路によってツール部の外部に一部が配置されたダクトのガイドが考えられる。そこでは、吸引ダクトを比較的簡単に対応する吸引装置に接続できることもさらなる利点である。
【０００９】
本発明のさらなる形態においては、吸引ダクトの少なくともその全長エリアを切断線輪郭によって形成すれば、それが有利であることが証明されている。従って、切断線輪郭は、分離されたスクラップ部を切断エリアから後方に対応するツール部内に直ちに搬出できるように吸引ダクトの入口を形成する。従って、各スクラップは切断の結果として必然的に吸引ダクト内に押し込まれるので、吸引は特に簡単かつ信頼性のある方法で行われることになる。さらに、吸引の結果として生じる力が最適の状態でスクラップ部に対して作用するように、吸引ダクトはその形状が対応のスクラップ部に特に有益に適合されている。
【００１０】
本発明のさらに有利な形態は、第１ツール部が、吸引ダクトの少なくともその全長エリアが内部に形成された少なくとも１つの特に上側支持プレートを含むことを想定している。対応の支持プレート内部のかかる吸引ダクトは、特に簡単に製造することができる。
【００１１】
本発明のさらなる形態において、第１ツール部は、切断線輪郭を内部に収容する少なくとも１つの特に下側支持プレートを含んでいる。従って、支持プレートを貫通する凹部を切断線輪郭のために簡単な方法で設けることができる。
【００１２】
第１ツール部が、吸引ダクトの少なくともその全長エリアが内部に形成された中間プレートを、切断線輪郭を内部に収容する支持プレートと、吸引ダクトの少なくともその全長エリアが内部に形成された支持プレートとの間に含んでいれば、それも有利であることが証明されている。従って、中間プレートは、一方では切断線輪郭を支持する役割を果たすと共に、他方では簡単な方法で１つ以上の吸引ダクトを備えることができる。
【００１３】
本発明のさらなる形態において、吸引ダクトは、その全長エリアがそれぞれの一部吸引ダクトによって形成される。多数のスクラップ部をブランクから分離すると共に、同時にそれぞれ関連する一部吸引ダクトを介して吸い出すことができるように、これらの一部吸引ダクトは切断線輪郭のそれぞれ周方向に閉じた輪郭エリアに隣接することができる。
【００１４】
本発明のさらなる形態において、切断線輪郭は、各スクラップ部を分離するために少なくとも１つの周方向に閉じた輪郭エリアを含み、それに個別に隣接する吸引ダクト又は一部吸引ダクトは断面が関連輪郭エリアよりも大きく形成される。このように、好ましくは、各々の吸引ダクト又は一部吸引ダクトの断面の方が切断線輪郭の各輪郭エリアの断面よりも少し大きいことによって、一方では吸引ダクト又は一部吸引ダクト内部でのスクラップ詰まりなしで、他方では十分な大きさの吸引力によって、各々分離されたスクラップ部を切断場所から除去することが可能になる。
【００１５】
吸引ダクトが、両側に向かって延びる対応支持プレートから出てくる最終ダクトを含み、吸引装置の吸引エレメントが最終ダクトの片側に接続され、自由流入開口部が最終ダクトの反対側に備えられた、本発明の実施態様が有利であることも証明されている。かかる最終ダクトは一方では非常に簡単に製造することができ、他方ではスクラップ部を吸い出すための連続的空気流を簡単に発生させることを可能にする。
【００１６】
最後に、最終ダクトを、フレームシートが配置された対応支持プレートの外側に備えるのが有利であることが証明されている。これによって、最終ダクトを特に安価に作ることができる。
【００１７】
本発明に係るツールとの関連における上述の効果は、クレーム１０の特徴を有する厚紙シートからブランクを製造するための方法と全く同じ方法で得られる。
【００１８】
本発明に係る方法の有利な形態において、吸引ダクトは、その全長エリアがそれぞれ一部吸引ダクトによって形成され、少なくとも１つのスクラップ部は少なくとも１つの一部吸引ダクトを介して吸い出される。
【００１９】
本発明のさらなる特徴は、クレーム、図面及び図面の説明から明白である。上述した説明における特徴及び特徴の組み合わせ、並びに、下記の図面の説明及び／又は図示した特徴及び特徴の組み合わせは、各々指定された組み合わせにおいて単独で使用可能だけではなく、発明の範囲を逸脱せずに他の組み合わせにおいても使用可能である。従って、図面には明確な図示及び説明はないが、説明された実施内容からの別々の特徴の組み合わせから生じ、作成可能である実施内容も本発明により包含及び開示されていると見なされる。
【図面の簡単な説明】
【００２０】
以下、図面に基づいて、本発明の実施態様についてさらに詳細な説明を行う。
【図１】厚紙シートからブランクを製造するためのツールの略断面図である。
【図２】図１中に線ＩＩ−ＩＩによって示した断面に沿った第１上側ツール部の上側支持プレートの略平面図である。
【図３】図１よりも拡大した切断線輪郭のエリアにおけるツールの断面図である。
【発明を実施するための形態】
【００２１】
図１は、不図示のブランクをやはり不図示の厚紙シートから製造するためのツールの略断面図である。ここで、基本的に切断、打抜き及び溝切具の兼用ツールとして形成されたツールには、雌型の第１上側ツール部１０及び雄型の下側ツール部１２が含まれる。連続プロセスにおいて，対応ブランクを製造するための各厚紙シートは２つのツール部１０、１２の間に導入することができ、以下で詳細に説明するスクラップ部の分離及び折曲げ溝の導入は、主として第１ツール部１０を第２ツール部１２に対して動かすことで２つのツール部１０、１２の相対運動によって行われる。ここでは、ツールは少なくとも半ば開いた状態で示されている。
【００２２】
上側ツール部１０は、下側支持プレート１４、及び中間プレート１８を介在した上側支持プレート１６から構成されている。さらに、フレームシート２０が上側支持プレート１６の上側に備えられる。全てのプレート１４〜１８は、水平な保持フレーム２４を有する保持装置２２内に収容され、相互に締め付けられる。
【００２３】
本ケースにおいて、下側支持プレート１４は、少なくとも略同形状の切断線輪郭２８が挿入される中央連続凹部２６を有する多重支持プレートである。ここでは、切断線輪郭２８は金属ブロックで形成され、ほぼ３つの周方向に閉じた輪郭エリア３０を含み、それにより、相互に平行に配置された各スクラップ部（図示せず）が厚紙シート又はブランクから分離可能になる。従って、切断線輪郭２８の中で、対応する切断線の６つの切断エリア３２が本断面図には示されている。上に向かって、切断線輪郭２８の金属ブロックは、切断線輪郭２８が支持された下側支持プレート１４の上面及び中間プレート１８の底面と同一平面で終わっている。中でもこのような理由から、中間プレートは、硬度が例えば約５０ＨＲＣの鋼材料から構成される。
【００２４】
切断線輪郭２８用の中央凹部２６に加えて、下側支持プレート１４は、ブランクを大きなスクラップ部から分離するための各水平な切断線３４用に、さらには、ブランクに折曲げ溝を生成するための内側に配置された各溝切線３６用に、さらなる凹部が含まれる。
【００２５】
スクラップ部の所望の切断及び折曲げ溝の溝切が行われるように、下側ツール部１２は、実際には、切断線輪郭２８、各切断線３４及び各溝切線３６と共働するカウンタプレート３８を含んでいる。このために、溝切線３６との共働用の対応溝４０がカウンタプレート３８内に備えられる。
【００２６】
ここでは、各スクラップ部を分離するための切断線輪郭２８によって形成された３つの周方向に閉じた輪郭エリア３０には、このエリアの３つの一部吸引ダクト４２によって形成された吸引ダクト４４が隣接する。その結果として、一部吸引ダクト４２又はそれらから形成された吸引ダクト４４は切断線輪郭２８の内部を上向きに中間プレート１８まで延び、そこから一部吸引ダクト４２は同じ形状で継続される。吸引ダクト４４の最終ダクト４６に開口するまで、一部吸引ダクト４２はその全長エリアが、中間プレート１８から、垂直方向に上側支持プレート１６の内部を延びる。
【００２７】
ここでは、最終ダクト４６の経路並びに一部吸引ダクト４２の形状が特に有益であることが、図１の線ＩＩ−ＩＩで表した断面に沿った略断面図で上側支持プレート１６を示す図２から明白である。ここでは、最終ダクト４６が対応支持プレート１６から出て両側４８、５０に向かうと共に、吸引装置の吸引エレメント（不図示）が最終ダクト４６の片側に接続され、自由流入開口５２が最終ダクト４６の反対側に備えられることが特に明白になる。ここでは、吸引装置の吸引エレメントは、例えば、保持フレーム２４内を延びる吸引装置の後続のさらなる吸引ダクト５４に接続される。その結果として、吸引装置によって、連続吸引空気流を、最終ダクト４６の内部で、流入開口部５２から吸引エレメントに向かって、従って、支持エレメント１６の片側から反対側４８、５０に発生させることができる。
【００２８】
最終ダクト内部の空気流は、吸引だけではなく、空気を片側４８、５０へ吹込むことでも発生できることが明らかである。従って、かかる吹込み空気流によって、切断線輪郭２８の輪郭エリア３０及び一部吸引ダクト４２の内部の各々において、吸引装置の吸引効果を実現することもできる。
【００２９】
この吸引空気流の力は、さらに、一部吸引ダクト４２を越えて、切断線輪郭２８の各輪郭エリア３０内でも作用し、それにより、各スクラップ部がブランクから分離される。その点で、スクラップ部は、打抜き及び切断時にそれぞれ、一部吸引ダクト４２内に押し込まれ、吸引空気流によって上向きに最終ダクト４６まで搬送され、そこから、吸引装置を介してのさらなる排出が行われる。
【００３０】
スクラップ部の特に有益な吸引を実現するために−切断線輪郭２８のエリア内のツールを図１よりも拡大して断面を表示している図３から特に明白なように一部吸引ダクト４２は切断線輪郭２８が関連する輪郭エリア３０の断面よりも大きく形成される。この理由から、二重線が図２の平面図中の一部吸引ダクト４２のエリア内でも明白であるのは、各内側線が切断線輪郭２８の各輪郭エリア３０を示しているからである。
【００３１】
図１及び２の全体を見ると、最終ダクト４６が対応支持プレート１６の外側５６に備えられたこともさらに明白である。従って、フレームシート２０によって上向きに閉じられるという点で、この最終ダクトは特に簡単に製造できる。上側支持プレート１６は、ここでは、加工が簡単なアルミニウム合金から形成される。
【００３２】
従って、第２ツール部１２との共働によって、第１ツール部１０の切断線輪郭２８を有するブランクから、少なくとも１つのスクラップ部を分離することができ、ここでは、このスクラップ部を後方及び上方それぞれに対応する一部吸引ダクト４２内に押込み、吸引ダクト４４を介してそこから吸出す方法を提供できることが全体として明白である。
【００３３】
本ツールは、特に厚さ８０ｇ／ｍ２〜５００ｇ／ｍ２又は材料厚さ約８０μｍ〜７００μｍの紙又は厚紙の材料シートの製造に採用することができる。ここでは、材料シートは特に印刷及び光沢仕上げも、ポリマー層又はプラスチックフィルムのコーティングにも使用できる。同様に、材料シートには、例えば、アルミニウム材料の金属フィルムのコーティングを行うことができる。もちろん、同様の材料シートにおいては、上述した材料の組合わせを採用することもできる。最後に、材料シートはラミネートから形成することも、複合構造を有することもできる。
【符号の説明】
【００３４】
１０      ツール部
１２      ツール部
１４      下側支持プレート
１６      上側支持プレート
１８      中間プレート
２０      フレームシート
２２      保持装置
２４      保持フレーム
２６      凹部
２８      切断線輪郭
３０      輪郭エリア
３２      切断エリア
３４      切断線
３６      溝切線
３８      カウンタプレート
４０      溝
４２      一部吸引ダクト
４４      吸引ダクト
４６      最終ダクト
４８      側
５０      側
５２      流入開口部
５４      吸引ダクト
５６      外側
【図１】
2020519455.tif 000003
【図２】
2020519455.tif 000004
【図３】
2020519455.tif 000005
【国際調査報告】
2020519455.tif 000006
2020519455.tif 000007
2020519455.tif 000008
2020519455.tif 000009
2020519455.tif 000010
2020519455.tif 000011